(57)【要約】【課題】コンパクトであり、組み立て性・メンテナンス性に優れた酸素富化手段を具備した分離型空気調和機を提供する。【解決手段】室内ユニット１１と室外ユニット１で構成され、少なくとも空気中から酸素を選択的に分離する酸素富化膜ユニット２と、この酸素富化膜ユニット２の一方の側を減圧する減圧手段３とを有する酸素富化手段を具備した分離型空気調和機であって、少なくとも減圧手段３は室外ユニット１の内部において、圧縮機２０の上方空間に配置した。【選択図】  図１
2004218942.tif 000002
【特許請求の範囲】
【請求項１】
室内ユニットと室外ユニットで構成され、少なくとも空気中から酸素を選択的に分離する酸素富化膜とこの酸素富化膜の一方の側を減圧する減圧手段とを有する酸素富化手段を具備した分離型空気調和機であって、前記減圧手段は前記室外ユニットの内部において、圧縮機の上方に配置されていることを特徴とする分離型空気調和機。
【請求項２】
減圧手段は、圧縮機の配置されている空間とは通気可能に配置されていることを特徴とする請求項１記載の分離型空気調和機。
【請求項３】
減圧手段は、室外ユニットと着脱可能に構成された据付部材に固定されていることを特徴とする請求項１記載の分離型空気調和機。
【請求項４】
圧縮機の配置されている空間と送風回路とは隔壁により隔てられており、また酸素富化膜と減圧手段は据付部材に固定されて室外ユニットに装着されているとともに、前記隔壁には前記据付部材が室外ユニットに装着された状態で、前記酸素富化膜の吸気面が前記送風回路に臨むように切り欠き部が形成されていることを特徴とする請求項３記載の分離型空気調和機。
【発明の詳細な説明】
【０００１】
【発明の属する技術分野】
本発明は、空気中の酸素ガス濃度を他のガスに対して相対的に向上させる酸素富化手段を有する分離型空気調和機に関するものであり、より詳しくは、室外ユニットの構造に関するものである。
【０００２】
【従来の技術】
従来、選択性ガス透過膜を用いてする酸素富化装置や窒素富化装置など特定のガス濃度を相対的に向上させる装置については医療用の酸素富化装置、空気調和機、空気清浄機などの機器について種々の発明がなされている。
【０００３】
例えば酸素濃度を向上させるものとして、分離型空気調和機の室外ユニットに酸素富化手段を設け、その酸素が富化された空気を送出配管を介して室内ユニットに送り、室内側に放出して被空調空間である室内の酸素濃度を向上させて、居住者の快適性の用に供するという発明が開示されている（特許文献１など）。
【０００４】
この発明では特に、室外ユニットの上部に酸素富化膜と減圧ポンプとを有して酸素富化ガスを発生する酸素富化手段がユニットとして配置されている。
【０００５】
【特許文献１】
特開平５−９９４５７号公報（図１等）
【０００６】
【発明が解決しようとする課題】
しかしながら、上記従来の技術の酸素富化手段を具備する空気調和機の構成では、必然的に室外ユニットのサイズが高さ方向に大きくなってしまうという課題があり、その居住社宅への設置については例えば天井に室外ユニットを取り付ける場合などに、専用の据付具を用いなければならないなどの不具合を生じる可能性があった。特に酸素富化手段の具備する減圧手段は通常減圧ポンプなどであり、筐体の構成上相応の高さを必要とするため、従来の技術ではこれに制約を受けて酸素富化手段を配置する空間の高さが決まりうる。更には室外ユニットの具備する平面的に配置される制御基板などを内蔵する電源部は通常送風回路上方部に配置されており、室外ユニットの具備する要素部品との電気系配線はこの電源部間で引き回されて接続されるが、特に製造組立工程を考慮すれば、制御基板などへの配線の接続を容易にするためには電源部の上方は開放されていると都合がよいが、従来の技術のような酸素富化手段をその上部に配置するとメンテナンス時には一旦酸素富化手段を取り外すようにするか、または配線の接続部位置を電源部の室外ユニット前面側の面に集中させるように設計的に配慮する必要が発生しうる。
【０００７】
本発明は、従来技術の有するこのような問題点に鑑みてなされたものであり、従来の空気調和機の室外ユニットの高さ・容積を維持するとともに、メンテナンス性や組み立て性の好適な酸素富化手段を具備した分離型空気調和機を提供することを目的としている。
【０００８】
【課題を解決するための手段】
上記目的を達成するために、本願発明の分離型空気調和機は、室内ユニットと室外ユニットで構成され、少なくとも空気中から酸素を選択的に分離する酸素富化膜と、この酸素富化膜の一方の側を減圧する減圧手段とを有する酸素富化手段を具備した分離型空気調和機であって、少なくとも減圧手段は室外ユニットの内部において、圧縮機の上方に配置されていることを特徴とするものである。
【０００９】
【発明の実施の形態】
本願発明の請求項１記載の分離型空気調和機は、室内ユニットと室外ユニットで構成され、少なくとも空気中から酸素を選択的に分離する酸素富化膜と、この酸素富化膜の一方の側を減圧する減圧手段とを有する酸素富化手段を具備した分離型空気調和機であって、減圧手段は室外ユニットの内部において、圧縮機の上方に配置されていることを特徴とする。
【００１０】
この構成によれば、電源部の構成を従来と大幅に変更することなく酸素富化手段を室外ユニットに内蔵できるため室外ユニットの組み立て性を損なわない。しかも、室外ユニットを従来とほぼ同程度の容積のままで酸素富化手段を配置できるので装置としてもコンパクト化が図れる。また、電源部とはほぼ隣接するので、酸素富化手段からの配線の引き回しが容易である。
【００１１】
本願発明の請求項２記載の分離型空気調和機は、減圧手段を圧縮機の配置されている空間とは通気可能に配置することを特徴とするものである。この構成によれば例えば、室外ユニットが冬季の低温状態にさらされており、減圧手段も低温になっている状態ではその起動時に負荷が大きくなることがあるが、圧縮機が配置されている空間に連通してその上方に配置されているので、圧縮機が運転された後しばらくして減圧手段が運転される場合など、圧縮機で生じた熱をいくらか受けることで筐体の温度も多少上昇し起動がしやすくなる。
【００１２】
本願発明の請求項３記載の分離型空気調和機は、減圧手段を室外ユニットと着脱可能に構成された据付部材に固定したことを特徴とするものである。これにより、減圧手段のメンテナンス性や室外ユニットでの装着性が良好になるとともに、下部に位置する圧縮機をメンテナンスする場合にも上方構造物が用意に取り外せるため好適である。
【００１３】
本願発明の請求項４記載の分離型空気調和機は、圧縮機の配置されている空間と送風回路とは隔壁により隔てられており、また酸素富化膜と減圧手段は据付部材に固定されて室外ユニットに装着されているとともに、隔壁には据付部材が室外ユニットに装着された状態で酸素富化膜の吸気面が送風回路に臨むように連通穴が形成されていることを特徴とする。
【００１４】
この構成によれば、酸素富化手段として一体でユニット構成して本体に装着することができるため組み立て性が向上する。そして、酸素富化膜の一次側（上流側）に滞留し得る窒素富化された空気を掃気して、酸素富化の効率を極力低下させないようにすることができる。
【００１５】
以下、本願発明の実施の形態について図面を用いて説明する。
【００１６】
図１は、本願発明にかかる酸素富化手段を備えた分離型空気調和機の構成模式図である。同図において、空気調和機は室内ユニット１１と室外ユニット１より構成され、冷媒ガスが循環するように接続配管（図示せず）で接続されている。
室内ユニット１１にはファン１３が具備されており、一方室外ユニット１には圧縮機２０、熱交換器２２、室外ファン２１、内部に電子基板４ａを具備した電源ボックス４が具備されている。
【００１７】
酸素富化ユニット（酸素富化手段）は、酸素富化膜ユニット２と、減圧ポンプ３とを通気的に連通させて構成され、吐出主管６を介して室内ユニット１１に酸素富化空気を送り出し吹き出し口７より吹き出されてファン１３による送風に混合されて被空調室に拡散する。
【００１８】
ここで、空気調和機の冷凍サイクルの構成及び動作については本願発明に関連しないため詳細な説明は省略する。
【００１９】
本実施の形態での酸素富化ユニットの据付構成について、次に説明する。酸素富化膜ユニット２と減圧ポンプ３は据付板５に載置されており、据付板５ごと室外ユニットに構成された据付板取付ガイド５ａに沿って圧縮機２０上方の空間に装着される。減圧ポンプ３から吐出する酸素富化空気が室内ユニットに吐出主管６を介して導かれるように、連結部８ａ、８ｂにより送風路が連結される。
【００２０】
一方、圧縮機の配置されている空間１４と送風回路１２とは仕切り板９により仕切られており、そこには切り欠き部９ｂが形成されており、酸素富化ユニットを室外ユニットに装着したときに酸素富化膜ユニット２が室外ユニットの送風回路１２に面して配置されるように構成され、あいた部分を閉塞するように補助仕切り板９ａが酸素富化膜ユニット２に並んで具備されている。据付板には通気口１５がすきなくとも一箇所形成されており、圧縮機設置空間１４と通気的に連通するようになっている。通気口１５は減圧ポンプ３の下方に形成されているとよい。
【００２１】
なお、ここでは１枚の板状の据付板５の上に減圧ポンプを配置したが、このようにスライド的に室外ユニットに装着されなくても、リブ（図示せず）などを形成しておき、そこに嵌合させてねじ固定してもよい。要するに据付板ごと少なくとも減圧ポンプ３が、または酸素富化膜ユニット２も含めて着脱できればよい。
【００２２】
【発明の効果】
以上説明したように、本願発明は室外ユニットに酸素富化手段を具備した分離型空気調和機において減圧手段を室外ユニットの内部において圧縮機の上方に配置し、さらには据付板ごと着脱可能に配置しているので、従来の空気調和機の室外ユニットの高さ・容積を維持するとともに、メンテナンス性や組み立て性がよい分離型空気調和機を提供できる。
【図面の簡単な説明】
【図１】本願発明にかかる実施の形態１を示す酸素富化装置を具備した空気調和機の構成概念図
【符号の説明】
１  室外ユニット
２  酸素富化膜ユニット
３  減圧ポンプ
４  電源ボックス
４ａ  電子基板
５  据付板（据付部材）
５ａ  据付板取付ガイド
６  吐出主管
７  吹き出し口
８ａ，８ｂ  連結部
９  仕切り板
９ａ  補助仕切り板
９ｂ  切り欠き部
１１  室内ユニット
１２  送風回路
１３  室内ファン
１４  圧縮機設置空間
１５  通気口
２０  圧縮機
２１  室外ファン
２２  熱交換器
【図１】
2004218942.tif 000003